(57)【要約】【課題】施工の際に便利で、配線が簡単であって、且つ使用者がグループ別制御、或いは単一制御を自由に選択でき、使用便利な知能型スイッチと、その配線装置を提供する。【解決手段】ハウジングと、該ハウジング内に設置され、且つ制御装置と少なくとも一つ以上の切換板を有する自動スイッチを含み、信号伝送配線によって該切換板が押された信号が該制御モジュールにまで伝送される機能スイッチと、  該制御モジュールの制御を受ける継電器と、該ハウジング上に設けられる少なくとも一つ以上の手動スイッチとによってなり、該手動スイッチは、該継電器に隣接する弾性片とコンタクト部との接続を制御することによって、配線の通電状態を制御する。【選択図】図１３
2004247202.tif 000002
【特許請求の範囲】
【請求項１】
ハウジングと
該ハウジング内に設置され、且つ制御装置と少なくとも一つ以上の切換板を有する自動スイッチを含み、信号伝送配線によって該切換板が押された信号が該制御モジュールにまで伝送される機能スイッチと、
該制御モジュールの制御を受ける継電器と、
該ハウジング上に設けられる少なくとも一つ以上の手動スイッチとによってなり、
該手動スイッチは、該継電器に隣接する弾性片とコンタクト部との接続を制御することによって、配線の通電状態を制御することを特徴とする知能型スイッチ。
【請求項２】
前記信号伝送配線が無線伝送であることを特徴とする請求項１に記載する知能型スイッチ。
【請求項３】
前記制御装置は該自動スイッチと電気的に接続することを特徴とする請求項２に記載する知能型スイッチ。
【請求項４】
前記継電器に隣接する弾性片は、該制御モジュールの指令を受けて配線の通電状態を決定することを特徴とする請求項１に記載する知能型スイッチ置。
【請求項５】
前記知能型スイッチは、さらにリモコン装置の信号を受信するリモコン信号受信器を有することを特徴とする請求項１に記載する知能型スイッチ。
【請求項６】
前記知能型スイッチは、さらに少なくとも一つ以上の指示灯を有し、該指示灯は該継電器が機能スイッチ、及び手動スイッチの内の一つの制御を受けていることを表示することを特徴とする請求項１に記載する知能型スイッチ。
【請求項７】
該制御モジュールは、信号による指令を処理するべく一つ以上の中央処理装置と、該中央処理装置及び各スイッチ装置に連結される内部信号出入力装置と、該中央処理装置及び外部周辺装置に連結される外部信号出入力装置とを有することを特徴とする請求項１に記載する知能型スイッチ。
【請求項８】
前記制御モジュールは信号による指令を処理する中央処理装置、並びに該中央処理装置及び各スイッチ装置に連結される信号出入力装置を有することを特徴とする請求項１に記載する知能型スイッチ。
【請求項９】
前記手動スイッチは連動部を有し、該連動部は移動操作によって該弾性片とコンタクト部の接触を行うことを特徴とする請求項１に記載する知能型スイッチ。
【請求項１０】
少なくとも一つ以上のスイッチ装置を有し、該スイッチ装置には少なくとも機能スイッチ及び手動スイッチが含まれ、該機能スイッチは信号伝送配線によって制御モジュールに連結され、また、該手動スイッチは相互に接触する弾性片とコンタクト部とを有し、継電器が該弾性片と隣接して信号を該制御モジュールに連結させ、該弾性片位置は該制御モジュール及び手動スイッチの内の一つに選択されることを特徴とする知能型スイッチの配線装置。
【請求項１１】
前記制御モジュールには少なくとも信号による指令を処理する中央処理装置と、該中央処理装置及び各スイッチ装置に連結される内部信号出入力装置と、該中央処理装置及び外部周辺装置に連結される外部信号出入力装置とを有することを特徴とする請求項１０に記載する知能型スイッチの配線装置。
【請求項１２】
前記手動スイッチは予め設置された機能装置に直接接続することを特徴とする請求項１０に記載の知能型スイッチの配線装置。
【請求項１３】
前記制御モジュールは少なくとも信号による指令を処理する中央処理装置、並びに該中央処理装置及び各スイッチ装置に連結される信号出入力装置を含むことを特徴とする請求項１０に記載の知能型スイッチの配線装置。
【請求項１４】
該スイッチ装置にはリモコン装置の信号を受信するリモコン信号受信器を有することを特徴とする請求項１０に記載の知能型スイッチの配線装置。
【発明の詳細な説明】
【０００１】
【発明の属する技術分野】
この発明はスイッチ装置に関し、特にハウスオートメーション・システムに用いられる知能型スイッチ及び配線装置に関する。
【０００２】
【従来の技術】
近年データ通信科学産業の高度発展及びインターネットの普及に伴い、オフィースばかりでなく一般の家庭生活においてもデジタル化や知能型システムの環境が整い始めており、オフィスオートメーション（ＯＡ）のみならずハウスオートメーション（ＨＡ）が注目されている。特に家電や空調、照明、映像や音響、セキュリティによる監視システムからカーテンに至るまで、これらを単一のボタンによって制御したり、或いは電話やインターネット等その他の方法によって遠隔操作でスイッチを操作したりすることができるようになっていて、生活をさらに便利にするとともに、エネルギーの適宜な使用、また防火や盗難防止等の安全性の機能も注目の的となっている。
【０００３】
知能型配線システムに関する技術には、アメリカ合衆国特許第５，２０９，５６０号、台湾特許公告第１４２７９３号「智慧型多功能控制主機（訳：知能型マルチ機能制御装置）」、台湾特許公告第３６３７５５号「家庭智慧控制装置（訳：家庭用知能型制御装置）」、台湾特許公告第３１０８６０号「智慧型燈光控制及安全警告装置（訳：知能型ランプ制御、及びアラーム装置）」、台湾特許公告第２３７９９４号「用以控制電燈之壁上開関装置（追加一）（訳：伝統を制御する壁取り付け型スイッチ装置（追加一））などが挙げられる。
【０００４】
図１に全知構造の知能型スイッチ装置及びその配線システムを開示する。図面によれば、制御モジュール１１と、複数の機能スイッチ１５と、電源供給器１３と、配線盤１７とによってなり、各種機能の指令を受ける該機能スイッチ１５のハウジング上には少なくとも一つ以上の切換板１５３を具え、使用者が該切換板１５３を押圧すると、信号伝送線１５１を介して指令信号が該制御モジュール１１内部の信号出入力装置１１１に伝送され、更に中央処理装置１１３のプログラミングによる演算処理で入力された信号が何の指令であるかを解読し、指令によって該配線盤１７内の各継電器１７９の弾性片１７９５の位置を制御し、該継電器１７９の弾性片７９５の位置によってその連結する配線を導通させるか否かを決定し、且つ配線を該配電盤１７内の該継電器１７９の照明装置１７１、１７３、セキュリティ監視装置１７５、並びにその他家電や空調、映像や音響、カーテン等に係るシステムや装置１７７にまで延伸させて配設し、配線が導通しているか否かによって動作の進行を決定する。
【０００５】
制御モジュール１１内にも外部信号出入力装置１１５を設けることができる。また、電話線やインターネット等により連結された外部周辺装置１９においても、遠隔操作で命令を下して該制御モジュール１１を制御することができ、該制御モジュール１１は外部信号出入力装置１１５によって外に対して救助の電話などをかけることができるようになっている。また電源においては、電源供給器１３及び電源線１３５であらゆる装置に電源を供給している。
【０００６】
しかし、上述の全知構造のものには以下のような欠点がある。
１つは、機能スイッチの切換板は信号伝送線で制御モジュールに連結し、多くは細部制御ソフトのプログラミングを経た後に集中制御機能を有することより、施工する者は初期の段階では簡単な方式で配線が正常であるかを確認することができず、施工に不便であり、時間とコスト上で無駄が多くなる。
【０００７】
また、照明装置及びその他の装置の配線においては、全ての線を配線盤上に引き、機能スイッチ装置は信号伝送用として使用されるのであり、この類の配線方式では作業員に配線の煩雑さを増加させるのと同時に配線のコストを上げる。
【０００８】
また、照明装置及びその他の装置の選択及び制御配線は複雑で、一般の作業員には理解し難い。
【０００９】
さらに、照明装置が万一作動しない場合、遠方の配線盤に赴き、配線を検査したり強制スイッチを操作したりしなければならず、配線盤は一般の使用者にとっては未知のものであることが往々にしてあり、不便なだけでなく誤った操作により危険が生じることもある。
そこでこれらの欠点を解決するべく、簡単な構造のスイッチ装置及び配線によってなる配線知能型スイッチ及び配線装置の開発が望まれている。
【００１０】
【発明が解決しようとする課題】
この発明は機能スイッチでグループ別制御を行うだけでなく、手動スイッチを設けることによって単一制御機能にも設定できるようにし、万一集合制御機能が使用できないような場合でも、単一制御による操作が行えるようにし、使用の実用性と安全性を増加させる知能型スイッチ及び配線装置を提供することを課題とする。
【００１１】
またこの発明は、照明及びその他の装置の配線を直接各スイッチ装置に連結させることで、伝統の配線方式と近似した状態となることによって、配線時や修理時の煩雑さを省いて、コストを低減できる知能型スイッチ及び配線装置を提供することを課題とする。
【００１２】
【課題を解決するための手段】
そこで、本考案者は従来の技術に見られる欠点に鑑み鋭意研究を重ねた結果、ハウジングと、該ハウジング内に設置され、且つ制御装置と少なくとも一つ以上の切換板を有する自動スイッチを含み、信号伝送配線によって該切換板が押された信号が該制御モジュールにまで伝送される機能スイッチと、及び該制御モジュールの制御を受ける継電器とによって構成し、少なくとも一つ以上の手動スイッチを該ハウジング上に設け、該手動スイッチは制御されて該継電器に隣接する弾性片とコンタクト部とが接続し、配線の導通情況を制御するように構成した知能型スイッチとその配線装置の構造によって課題を解決できる点に着眼し、かかる知見に基づき本考案を完成させた。
【００１３】
以下この発明について具体的に説明する。
請求項１に記載する知能型スイッチは、ハウジングと
該ハウジング内に設置され、且つ制御装置と少なくとも一つ以上の切換板を有する自動スイッチを含み、信号伝送配線によって該切換板が押された信号が該制御モジュールにまで伝送される機能スイッチと、
該制御モジュールの制御を受ける継電器と、
該ハウジング上に設けられる少なくとも一つ以上の手動スイッチとによってなり、
該手動スイッチは、該継電器に隣接する弾性片とコンタクト部との接続を制御することによって、配線の通電状態を制御する。
【００１４】
請求項２に記載する知能型スイッチは、請求項１における信号伝送配線が無線伝送である。
【００１５】
請求項３に記載する知能型スイッチは、請求項１における制御装置が該自動スイッチと相互に電気的に連結される。
【００１６】
請求項４に記載する知能型スイッチは、請求項１における継電器に隣接する弾性片が、該制御モジュールの指令を受けて配線の通電状態を決定する。
【００１７】
請求項５に記載する知能型スイッチは、請求項１における知能型スイッチが、さらにリモコン装置の信号を受信するリモコン信号受信器を有する。
【００１８】
請求項６に記載する知能型スイッチは、請求項１における知能型スイッチが少なくとも一つ以上の指示灯を有し、該指示灯は該継電器が機能スイッチ、及び手動スイッチの内の一つの制御を受ける。
【００１９】
請求項７に記載する知能型スイッチは、請求項１における制御モジュールが、信号による指令を処理するべく一つ以上の中央処理装置、並びに該中央処理装置及び各スイッチ装置に連結される内部信号出入力装置、及び該中央処理装置及び外部周辺装置に連結される外部信号出入力装置を有する。
【００２０】
請求項８に記載する知能型スイッチは、請求項１における制御モジュールが、信号による指令を処理する中央処理装置と、並びに該中央処理装置及び各スイッチ装置に連結される信号出入力装置を有する。
【００２１】
請求項９に記載する知能型スイッチは、請求項１における手動スイッチが連動部を有し、該連動部は移動操作によって該弾性片とコンタクト部の接触を行う。
【００２２】
請求項１０に記載する知能型スイッチの配線装置は、少なくとも一つ以上のスイッチ装置を有し、該スイッチ装置には少なくとも機能スイッチ及び手動スイッチが含まれ、該機能スイッチは信号伝送配線によって制御モジュールに連結され、また、該手動スイッチは相互に接触する弾性片とコンタクト部とを有し、継電器が該弾性片と隣接して信号を該制御モジュールに連結させ、該弾性片位置は該制御モジュール及び手動スイッチの内の一つに選択される。
【００２３】
請求項１１に記載する知能型スイッチの配線装置は、請求項１０における制御モジュールに、少なくとも信号による指令を処理する中央処理装置と、該中央処理装置及び各スイッチ装置に連結される内部信号出入力装置と、該中央処理装置及び外部周辺装置に連結される外部信号出入力装置とを有する。
【００２４】
請求項１２に記載する知能型スイッチの配線装置は、請求項１０における手動スイッチが予め設置された機能装置に直接接続する。
【００２５】
請求項１３に記載する知能型スイッチの配線装置は、請求項１０における該制御モジュールが、少なくとも信号による指令を処理する中央処理装置、並びに該中央処理装置及び各スイッチ装置に連結される信号出入力装置を含む。
【００２６】
請求項１４に記載する知能型スイッチの配線装置は、請求項１０におけるスイッチ装置に、リモコン装置の信号を受信するリモコン信号受信器を有する。
【００２７】
【発明の実施の形態】
この発明は、ハウスオートメーション・システムに用いられる知能型スイッチ及び配線装置を提供するものであって、ハウジングと、該ハウジング内に設置され、且つ制御装置と少なくとも一つ以上の切換板を有する自動スイッチとを含んでなり、信号伝送配線によって該切換板が押された信号が該制御モジュールにまで伝送される機能スイッチと、及び該制御モジュールの制御を受ける継電器とによって構成し、少なくとも一つ以上の手動スイッチを該ハウジング上に設け、該手動スイッチは制御されて該継電器に隣接する弾性片とコンタクト部とが接続し、配線の導通情況を制御するように構成する。
かかる知能型スイッチと、その配線装置の構造と特徴を説明するために、具体的な実施例を挙げ、図示を参照にして以下に詳述する。
【００２８】
【実施例】
図２、３、４にこの考案の実施例を開示する。本発明のスイッチ２０は機能スイッチ２５（図１１参照）と、上端縁部にフック２０を具えてなるハウジング２０１とによってなり、該機能スイッチ２５は、制御装置２１と、継電器装置２２と、自動スイッチ２３とを含む。該制御装置２１は回路板２１１を有し、該回路板２１１上には中央微処理器（ＣＰＵ）２１２、電気連結器２１４及びその他の電気部品が設けられており、該回路板２１１上には溝２１３が設けられている。
【００２９】
該継電器装置２２（図７、８参照）には、継電器２２３、弾力片２２１、コンタクト部２２２が設けられており、これらを組み立てるときは該継電器装置２２を該ハウジング２０１内に設置し、続いて該制御装置２１を該継電器２２３に組み込んで、該継電器２２３を該回路板２１１の溝２１３より突出させる。
【００３０】
中蓋板２０３の中央には孔２０６が設けられており、また該フック掛け溝２０４はハウジング２０１のフック２０２を係合するべく該孔２０６周縁にはフック掛け溝２０４が設けられており、さらに該孔２０６両側には楕円状溝２０５が設けられている。
【００３１】
該中蓋板２０３上に設置される載板２３４においては、図５、６に示すように、枢設座２３４１、楕円穿孔２３４２、貫通孔２３４３、位置決めフック２３４５、係合孔２３４６及び係合溝２３４７を有し、該載板２３４は中蓋板２０３に固定され（螺合あるいは係合）、係合孔２３４６は上蓋２０１１の係合フック２０１２と相互に嵌合され、該上蓋２０１１には中央孔２０１３及び槽孔２０１４が設けられている。
【００３２】
該自動スイッチ２３には回路板２３１及び切換板２３５を有し、該回路板２３１は該載板２３４上に設置され、該自動スイッチ２３上には更に凸膜２３２、長溝２３３及び電気連結器２３０が設けられており、該電気連結器２３０は電気的接続が行われるべく該制御装置２１の電気連結器２１４と相対して設置されており、該切換板２３５は該上蓋２０１１の中央孔２０１３に位置するようになっている。また該切換板２３５底縁には係合座２３５１、圧座２３５２が設けられており、該係合座２３５１は該載板２３４の係合溝２３４７に相設され、該圧座２３５２は該導電凸膜２３２を緊密圧迫して設置される。
【００３３】
図９、１０に示すように、該切換板２３５上下両端が該導電凸膜２３２によって該回路板２３１の電源信号が相通することにより設定した機能が作動し、また該凸膜２３２の弾力が回復することによって該切換板２３５が水平状態となるようにする。
【００３４】
更に該スイッチ２０には手動スイッチ２４が設けられており、該手動スイッチ２４には手動板２４１（図２参照）が設けられており、該手動板２４１は該上蓋２０１１の槽孔２０１４に摺動自在に設けられ、連動桿２４２に連動している。また、該連動桿２４２は該載板２３４の貫通孔２３４３に挿入され、載板２３４の枢設座２３４１に枢設されている。該手動板２４１の動作に該連動桿２４２を連動し、指で簡単に操作することができる。
【００３５】
図７に示すように手動スイッチ２４が切断状態にあるとき、該手動板２４１を押して該連動桿２４２を下に移動させると、該連動桿２４２で該弾力片２２１を圧制して該コンタクト部２２２と接触させることにより、手動スイッチ制御配線が導支する（図８参照）。
【００３６】
該機能スイッチ２５及び切換板２３５の作用及び配線方式においては、全知構造のものと同様で、信号伝送線と制御モジュールとが連結して成る（図１１中の４１参照）。該弾力片２２１底部には該制御モジュール４１の制御を受ける継電器２２３があり、本発明の機能スイッチ２５においては指令信号が該制御モジュール４１より信号伝送線によって該スイッチ２０にまで伝送され、機能を実施しようとするとき、制御される該継電器２２３が作用し、電磁力により強力に吸引されて下方に移動する弾力片２２１が該コンタクト部２２２と接触することにより、配線が開回路状態となる。
【００３７】
また逆に該制御モジュール４１が制御配線を切断状態にしようとする際は、逆方向に電気を供給する、或いは電気を断つことにより核弾力片２２１は上方に跳ね上がって、配線を切断状態とする。
【００３８】
使用者が単一制御モードで操作する場合は、手で該手動スイッチ２４の手動板２４１を押し、該連動桿２４２で該弾力片２２１を圧制することによって該コンタクト部２２２と接触されるだけでよく、手動スイッチ２４の項目選択、及び方を施す方向によって機能スイッチ２５よりも更に便利にすることも可能であり、よって本実施例のスイッチ装置は近くで使用する際、遠くからのリモコン操作によって余計な影響を受けることがない。
【００３９】
図１１に示すように、配線システム図においては、主に該スイッチ２０、制御モジュール４１からなり、該制御モジュール４１内の内部信号出入力装置４１１は信号伝送線２５１を介して各スイッチ２０の機能スイッチ２５と連結されており、同様に該機能スイッチ２５の押す動作で信号が該内部信号出入力装置４１１にまで至る。プログラミングされた中央処理装置４１３では入力された信号がどのような指令であるかを分析及び判断し、更に該内部信号出入力装置４１１及び信号伝送線２５１を通ることによって、該信号伝送線２５１は継電器２２３及び弾力片２２１の動作を直接制御し（図７、８参照）、配線を開回路状態とするか切断状態とするかを決定することができる。
【００４０】
また照明装置２７１、２７３、セキュリティ監視装置２７５及びその他の家電や空調、映像や音響、カーテン等に係るシステムや装置２７７が該スイッチ２０に直接連結されており、該制御モジュール４１の制御を受けるだけでなく、一般家庭で通常使用されている手動スイッチ２４のように手動板２４１の押圧することによって電気を開回路状態とするか、或いは切断状態とするかを決定することもできる。
【００４１】
更に制御モジュール４１内の内部信号出入力装置４１１は無線伝送２５２（ＩＲ或いはＦＲ）によって、各スイッチ２０の機能スイッチ２５と連結させ、該機能スイッチ２５を押す動作、或いは無線伝送２５２により信号が該内部信号出入力装置４１１に伝送されることにより、中央処理装置４１３は判断と分析を下し、更に該内部信号出入力装置４１１によって無線伝送２５２で手動スイッチ２４を制御して配線を開回路状態とするか、或いは切断状態とするかを決定する。
【００４２】
また該制御モジュール４１は外部信号出入力装置４１５を含み、電話或いはインターネット等によって外部周辺装置４９と連結させることもできる。こうすることによって遠距離から監視することや該制御モジュール４１に対して指令を下すことができ、機能の制御と執行が為される。もちろん該制御モジュール４１は該外部信号出入力装置４１５によって外へ向けて救助の電話をかける等の機能をも果たし、電源供給器４３が電源線４３５によってあらゆる装置に動力を提供する。
【００４３】
また本発明では該スイッチ２０には何らかの外接装置がなく、単純に指令用スイッチとして使用されることにおいては、単純操作で簡単であるといった一面も有する。
【００４４】
図１２に示すように、本発明の手動スイッチのもう一つの実施例においては、主にスイッチ装置ハウジング７０内には前述同様に手動スイッチ７１、手動板７１０、機能スイッチ７５、切換板７５３が設けられている他、同時にリモコン８０より投射されるリモコン信号を受けるリモコン受信器（図示しない）が設けられており、同様に信号伝送線２５１によって該制御モジュール４１に信号を伝送し、グループ別制御機能を執行する。
【００４５】
該ハウジング７０に指示灯７５５が設けられ、明るいかどうかにより、現在手動スイッチ７１による制御なのか、或いは機能スイッチ７５によって制御されるのかが顕示される、即ちグループ別制御であるか、或いは単一制御モードであるかが顕示される。もちろん該指示灯７９或いは機能スイッチ７５上に設けられた指示灯７５５により、該機能スイッチ７５或いは手動スイッチ７１の機能が執行されているか、或いは正常に操作されているかが顕示されるように設定することもできる。
【００４６】
図１３に示すように、本発明におけるもう一つの実施例の配線システム図においては、主に外部周辺装置５９が直接該スイッチ装置ハウジング７０の機能スイッチ７５上に連結されており、指令信号が該機能スイッチ７５及び信号伝送線７５１（或いは該無線伝送７５２）を通して該制御モジュール８１の信号出入力装置８１１内にまで伝送され、該制御モジュール８１の中央処理装置８１３は該出入力装置８１１を通して該外部周辺装置５９と繋がる。
【００４７】
使用者がリモコン８０を通して該スイッチ装置ハウジング７０の一つの指令を下すと、該スイッチ装置ハウジング７０のリモコン信号受信器で受信され、並びに信号伝送線７５１（或いは無線伝送７５２）の伝送により下された命令が該制御モジュール８１に通知される。その他本実施例中においては、スイッチボックス８５が直接該各照明装置２７１、２７３、セキュリティ監視装置２７５及びその他家電や空調、映像や音響、カーテン等に係るシステムや装置２７７と連結されて電源が提供されている。このような配線方式によると、作業員が配線するのに便利になり、相対してコストを下げることに繋がる。
【００４８】
【発明の効果】
本発明によると、住人が自動化されたスイッチと配線装置によるシステムを利用できて便利となっただけでなく、施工の際にも便利で配線が簡単になり、且つ使用者がグループ別制御、或いは単一制御を自由に選択できる目的が達成された。
【図面の簡単な説明】
【図１】全知構造の知能型スイッチ装置及びその配線におけるシステム説明図である。
【図２】本発明における知能型スイッチ装置の上面の一部透視説明図である。
【図３】本発明における知能型スイッチ装置の立体斜視図である。
【図４】本発明における知能型スイッチ装置の分解図である。
【図５】本発明における手動スイッチの背面側の構造を表す一部分解図である。
【図６】本発明における自動スイッチを表す斜視図である。
【図７】本発明における手動スイッチの切断状態を表す断面図である。
【図８】本発明における図７に開示する手動スイッチを通電状態にする動作を表す説明図である。
【図９】本発明における自動スイッチの切断状態を表す断面図である。
【図１０】本発明における図９に開示する自動スイッチを通電状態にする動作を表す説明図である。
【図１１】本発明の配線システム実施例における回路構造を表すブロック図である。
【図１２】本発明の知能型スイッチ装置の他の実施形態を表す正面図である。
【図１３】本発明の配線システムの他の実施例における回路構造を表すブロック図である。
【符号の説明】
１１        制御モジュール
１１１      信号出入力装置
１１３      中央処理装置
１１５      外部信号出入力装置
１３        電源供給器
１３５      電源線
１５        機能スイッチ
１５１      信号伝送線
１５３      切換板
１７        配線盤
１７１      照明装置
１７３      照明装置
１７５      セキュリティ監視装置
１７７      その他家電や空調、映像や音響、カーテン等に係るシステムや装置
１７９      継電器
１７９５    弾性片
１９        外部周辺装置
２０        スイッチ
２０１      ハウジング
２０１１    上蓋
２０１２    フック
２０１３    中央孔
２０１４    槽孔
２０２      フック
２０３      中蓋板
２０４      フック掛け溝
２０５      楕円状溝
２０６      孔
２１        制御装置
２１１      回路板
２１２      中央微処理器（ＣＰＵ）
２１３      溝
２１４      電気連結器
２２      継電器装置
２２１      弾力片
２２２      コンタクト部
２２３      継電器
２３        自動スイッチ
２３０      電気連結器
２３１      回路板
２３２      凸膜
２３３      長溝
２３４      載板
２３４１    枢設座
２３４２    楕円穿孔
２３４３    貫通孔
２３４５    位置決めフック
２３４６    係合孔
２３４７  係合座溝
２３５      切換板
２３５１  係合座
２３５２    圧座
２４        手動スイッチ
２４１      手動板
２４２      連動桿
２４５      位置決め溝
２５        機能スイッチ
２５１      信号伝送線
２５２      無線伝送
２７１      照明装置
２７３      照明装置
２７５      セキュリティ監視装置
２７７      その他家電や空調、映像や音響、カーテン等に係るシステムや装置
４１        制御モジュール
４１１      内部信号出入力装置
４１３    中央処理装置
４１５      外部信号出入力装置
４３        電源供給器
４３５      電源線
４９        外部周辺装置
５９        外部周辺装置
７０        スイッチ装置ハウジング
７１        手動スイッチ
７１０    手動板
７１３      ボタン
７５        機能スイッチ
７５１    信号伝送線
７５２    無線伝送
７５３      切換板
７５５      指示灯
７９        指示灯
８０        リモコン
８１        制御モジュール
８１１      出入力装置
８１３      中央処理装置
８５      スイッチボックス
【図１】
2004247202.tif 000003
【図２】
2004247202.tif 000004
【図３】
2004247202.tif 000005
【図４】
2004247202.tif 000006
【図５】
2004247202.tif 000007
【図６】
2004247202.tif 000008
【図７】
2004247202.tif 000009
【図８】
2004247202.tif 000010
【図９】
2004247202.tif 000011
【図１０】
2004247202.tif 000012
【図１１】
2004247202.tif 000013
【図１２】
2004247202.tif 000014
【図１３】
2004247202.tif 000015